(57)【要約】【課題】携帯電話やＰＤＡ、デジタルカメラ等の電池を電力の供給元とする電子機器において、機器内部が浸水した際、電子回路への電力供給を確実に断つことができる電子機器を得る。【解決手段】電池１１と、電池１１を電力供給元として動作する電子回路１０と、電池１１から一定以上の電流が流れると溶断し、電子回路１０への電源供給を停止するヒューズ１２と、機器内部において水濡れを電気的に検出する水濡れ検出センサ１３と、ヒューズ１２より電子回路１０側に設けられ、水濡れ検出センサ１３が水濡れを検出したときに、電池１１から電流を流すためのＭＯＳ型のＦＥＴ１４と、水濡れ検出センサ１３が水濡れを検出していないときにＦＥＴ１４のドレイン−ソース間に電流を流さないように、ＦＥＴ１４をオフ状態に保つためのゲート抵抗１５とを備える。【選択図】図１
2013021392.tif 000002
【特許請求の範囲】
【請求項１】
電池と、
前記電池を電力供給元として動作する電子回路と、
前記電池から一定以上の電流が流れると溶断し、前記電子回路への電源供給を停止するヒューズと、
機器内部において水濡れを電気的に検出する水濡れ検出センサと、
前記ヒューズより前記電子回路側に設けられ、前記水濡れ検出センサが水濡れを検出したときに前記電池から電流をグランドへ流すためのスイッチ回路と、
を備えた電子機器。
【請求項２】
前記スイッチ回路は、スイッチ部材を備え、前記水濡れ検出センサが水濡れを検出していないときは前記スイッチ部材をオフ状態にし、前記水濡れ検出センサが水濡れを検出したときは前記スイッチ部材をオン状態にする請求項１に記載の電子機器。
【請求項３】
前記水濡れ検出センサは、非水濡れ時には絶縁体となり、水濡れ時には水の電気抵抗値と略同等の抵抗値を持つ導体となるものであり、
前記スイッチ回路は、電界効果トランジスタと、前記水濡れ検出センサとで電池電圧を分圧し、この分圧電圧を前記電界効果トランジスタのゲートに印加するゲート抵抗と、を備え、前記水濡れ検出センサが水濡れしてないときは、前記分圧電圧は、前記電界効果トランジスタがオン状態にならない電圧値となり、前記水濡れ検出センサが水濡れしたときは、前記分圧電圧は、前記電界効果トランジスタがオン状態になる電圧値となる請求項１に記載の電子機器。
【請求項４】
電池と、
前記電池を電力供給元として動作する電子回路と、
前記電池から一定以上の電流が流れると溶断し、前記電子回路への電源供給を停止するヒューズと、
機器内部において水濡れを電気的に検出する水濡れ検出センサと、
前記ヒューズより前記電子回路側に設けられ、前記水濡れ検出センサが水濡れを検出したときに前記電池から電流をグランドへ流すためのスイッチ回路と、
を備えた携帯端末装置。
【発明の詳細な説明】
【技術分野】
【０００１】
本発明は、携帯電話やＰＤＡ(Personal Digital Assistant)、デジタルカメラ等の電池を電力の供給元とする電子機器、携帯端末装置に関する。
【背景技術】
【０００２】
携帯電話やＰＤＡ、デジタルカメラ等の、電池を電力の供給元とする電子機器では、機器内部の電子回路に電力が供給されている状態で機器内部が浸水した場合、電子回路が破損する可能性がある。特に、携帯電話やＰＤＡ、デジタルカメラ等の、ユーザが携帯する電子機器は、野外で使用する機会が多いことから、雨などの水に濡れることが多々ある。機器内部が浸水した場合でも機器内部の電子回路に電力が供給されていなければ、電子回路が乾くことで、再度電力を供給したときに動作する可能性がある。また、電子機器がメモリを有するものであれば、電子回路が動作することで当該メモリからデータを取り出すことが可能である。
【０００３】
近年、メモリの機能向上と低価格化により、電子機器に大容量のメモリが搭載され、以前よりも多様かつ大量のデータが電子機器のメモリに格納されることが多くなっている。このような現状により、電子機器が水に濡れた場合でもデータを保護したいというニーズが市場で増している。
【０００４】
電池を電力供給元とする電子機器で、水濡れを電気的に検出して回路への電源供給を停止する発明がある。例えば、特許文献１で開示された電子機器はその種のものであり、水漏れ検出シールと、この水濡れ検出シールの第１端子と第２端子との間の電気的な導通状態を検知する検知手段と、この検知手段で検知された前記導通状態に基づいて電子機器の電源の供給状態を調節する電源調節手段とを備えている。なお、水濡れを検出するセンサには、特許文献１に記載された水濡れ検出シールの他に、例えば特許文献２で開示されている水濡れセンサもある。
【先行技術文献】
【特許文献】
【０００５】
【特許文献１】特開２００６−０５３１１０号公報
【特許文献２】特開２０００−１６２０８１号公報
【発明の概要】
【発明が解決しようとする課題】
【０００６】
前述した特許文献１で開示された電子機器では、水濡れ検出時にメイン回路（電子回路に相当）への電源供給を停止する手段として、制御端子に信号「Ｈ」が入力されるとオン状態（閉状態）となり、信号「Ｌ」が入力されるとオフ状態（開状態）となるスイッチ部材を用いている。このスイッチ部材がどのような構造のものかは明確に記載されてはいないが、「Ｈ」、「Ｌ」でオン・オフ状態になることから、トランジスタやＦＥＴ、リレーなどの既存のスイッチ部材を使用しているものと推測される。この既存のスイッチ部材を使用している場合、それを動作させるための電源が必要となるが、それが水に濡れることによる誤動作や、電池電圧が低下してスイッチの定格電圧を下回ることによる誤動作により、メイン回路に電力が供給されてしまう可能性がある。メイン回路に電源が供給されている状態でメイン回路が水に濡れた場合、メイン回路を構成する部品が使用不能になる虞がある。
【０００７】
本発明は係る事情に鑑みてなされたものであり、携帯電話やＰＤＡ、デジタルカメラ等の電池を電力の供給元とする電子機器において、機器内部が浸水した際に、電子回路への電力供給を確実に断つことができる電子機器、携帯端末装置を提供することを目的とする。
【課題を解決するための手段】
【０００８】
本発明の電子機器は、電池と、前記電池を電力供給元として動作する電子回路と、前記電池から一定以上の電流が流れると溶断し、前記電子回路への電源供給を停止するヒューズと、機器内部において水濡れを電気的に検出する水濡れ検出センサと、前記ヒューズより前記電子回路側に設けられ、前記水濡れ検出センサが水濡れを検出したときに前記電池から電流をグランドへ流すためのスイッチ回路と、を備えた。
【発明の効果】
【０００９】
本発明は、電子機器内部が浸水した際に、瞬時に電子回路への電力供給を断つので、機器内部への浸水による電子回路を構成する部品が使用不能になることを防ぐことができる。
【図面の簡単な説明】
【００１０】
【図１】本発明の一実施の形態に係る電子機器の概略構成を示す図である。
【図２】図１の電子回路を動作を説明に用いる該電子機器の概略構成を示す図である。
【図３】本発明の一実施の形態に係る電子機器の概略構成を示す図である。
【図４】図３の電子回路を動作を説明に用いる該電子機器の概略構成を示す図である。
【発明を実施するための形態】
【００１１】
以下、本発明を実施するための好適な実施の形態について、図面を参照して詳細に説明する。
図１は、本発明の一実施の形態に係る電子機器の概略構成を示す図である。同図において、本実施の形態の電子機器１は、電池を電力供給元として動作する電子回路１０と、電子回路１０に対する電力供給源である電池１１と、電池１１から一定以上の電流が流れると溶断し、電子回路１０への電源供給を停止するヒューズ１２と、水濡れを電気的に検出する水濡れ検出センサ１３と、ヒューズ１２より電子回路１０側に設けられ、水濡れ検出センサ１３が水濡れを検出したときに、電池１１から電流を流すためのＭＯＳ型のＦＥＴ（電界効果トランジスタ、スイッチ部材）１４と、水濡れ検出センサ１３が水濡れを検出していないときにＦＥＴ１４のドレイン−ソース間に電流が流れないように、ＦＥＴ１４をオフ状態に保つためのゲート抵抗１５と、を備える。なお、ＦＥＴ１４とゲート抵抗１５は、スイッチ回路１６を構成する。
【００１２】
ヒューズ１２は、電子回路１０と電池１１との間の電源ライン１７に直列に介挿される。ヒューズ１２は、通常の動作で電子回路１０が消費する電流量とＦＥＴ１４及びゲート抵抗１５によるリーク電流の電流量の総和の電流が流れても溶断することがなく、それ以上の量の電流が流れた場合にのみ溶断するものである。水濡れ検出センサ１３は、２極の端子を有し、その一方の端子がヒューズ１２より電子回路１０側の電源ライン１７に接続され、他方の端子がゲート抵抗１５を介してグランドに接地される。水濡れ検出センサ１３は、例えば特開２００６−５３１１０号公報又は特開２００１−１６２０８１号公報に記載されているものを用いてよい。水濡れ検出センサ１３は、非水濡れ時に絶縁され、水濡れ時に導体となるものである。水の電気抵抗値は、水道水で数ＫΩから十数ＫΩであるので、水濡れ時の水濡れ検出センサ１３の２極間の抵抗値は水の電気抵抗値と略同等となる。
【００１３】
水濡れ検出センサ１３が水に濡れて導体となったとき、電池１１の電圧を水濡れ検出センサ１３の抵抗値とゲート抵抗１５の抵抗値で分圧した電圧がＦＥＴ１４のゲートに印加されてＦＥＴ１４がオン状態となり、ドレイン−ソース間に電流が流れる。この際、ドレイン−ソース間に流れる電流でヒューズ１２が溶断するように、ゲート抵抗１５の抵抗値が定められる。
【００１４】
次に、図２に示す概略構成図を参照して、本実施の形態の電子機器１の動作を説明する。図２において、電子機器１の通常動作では、ヒューズ１２を経由して電池１１から電子回路１０に、電子回路１０が消費する電流と、ＦＥＴ１４及びゲート抵抗１５によるリーク電流の総和である電流Ｉ１が流れる。このとき、水濡れ検出センサ１３は水に濡れていないので、水濡れ検出センサ１３の端子間は絶縁状態にあり、ＦＥＴ１４のゲートに電圧が印加されず、さらにゲート抵抗１５によりグランドに接地されているため、ＦＥＴ１４のゲートにおける電圧は０（ゼロ）となる。これにより、ＦＥＴ１４はオフ状態となり、ドレイン−ソース間には電流の流れが生じない。
【００１５】
一方、電子機器１の機器内部に浸水し、水濡れ検出センサ１３が濡れると、水濡れ検出センサ１３は導体となり、その端子間が水の抵抗値と等価となる。水濡れ検出センサ１３が抵抗を持つ導体となったことで、ＦＥＴ１４のゲートには、電池１１の電圧を水濡れ検出センサ１３の抵抗値とゲート抵抗１５の抵抗値で分圧した電圧が印加されてＦＥＴ１４がオン状態となり、ＦＥＴ１４のドレイン−ソース間に電流Ｉ２が流れる。これにより、ヒューズ１２に電流Ｉ１と電流Ｉ２が同時に流れて、ヒューズ１２が溶断する。この結果、電子回路１０やＦＥＴ１４等のヒューズ１２より電子回路１０側の回路への電源供給が断たれる。
【００１６】
このように本実施の形態の電子機器１によれば、電池１１と、電池１１を電力供給元として動作する電子回路１０と、電池１１から一定以上の電流が流れると溶断し、電子回路１０への電源供給を停止するヒューズ１２と、機器内部において水濡れを電気的に検出する水濡れ検出センサ１３と、ヒューズ１２より電子回路１０側に設けられ、水濡れ検出センサ１３が水濡れを検出したときに、電池１１から電流を流すためのＭＯＳ型のＦＥＴ１４と、水濡れ検出センサ１３が水濡れを検出していないときにＦＥＴ１４のドレイン−ソース間に電流を流さないように、ＦＥＴ１４をオフ状態に保つためのゲート抵抗１５と、を備えたので、電子機器１の機器内部が浸水した際に、瞬時に電子回路１０への電力供給を断つことができ、機器内部の浸水による電子回路１０を構成する部品が使用不能になることを防ぐことができる。
【００１７】
なお、本実施の形態の電子機器１は、スイッチ回路１６を構成するスイッチ部材としてＦＥＴ１４を使用したが、当該スイッチ部材は図１に対応する図３や、図２に対応する図４で示すように、ＦＥＴに限定されることはない。例えばトランジスタであってもよい。また、半導体のスイッチ部材子以外のものとして、機械式のリレー（防水型が好ましい）を使用することも可能である。
【産業上の利用可能性】
【００１８】
本発明は、携帯電話やＰＤＡ（携帯端末装置）、デジタルカメラ等の電池を電力供給元とする電子機器への適用が可能である。
【符号の説明】
【００１９】
１  電子機器
１０  電子回路
１１  電池
１２  ヒューズ
１３  水濡れ検出センサ
１４  ＦＥＴ
１５  ゲート抵抗
１６  電源ライン
【図１】
2013021392.tif 000003
【図２】
2013021392.tif 000004
【図３】
2013021392.tif 000005
【図４】
2013021392.tif 000006